(57)【特許請求の範囲】
【請求項１】
タンクと、
給水源から前記タンク内に給水する給水装置と、
前記タンク内の水を加熱するヒータと、
前記タンク内の水を吐水口から吐出する吐水装置と、
少なくとも前記給水装置、ヒータを制御する制御装置と、
を備え、
前記制御装置は、ユーザーからの給水指示に基づいた信号により、前記給水装置による給水および前記ヒータによる加熱を行うと共に、前記タンク内に温水が生成された後、前記ヒータによる加熱を終了し、設定時間が経過すると、ユーザーによる温水の使用に拘わらず、タンク内から温水を排水して、ユーザーからの前記給水指示があるまで前記タンク内を空の状態とすることを特徴とする吐水システム。
【請求項２】
前記タンク内への給水量を検出する流量計をさらに備え、
前記制御装置は、前記タンク内への給水量をユーザーからの給水量指示に基づいた信号に応じた給水量に、前記検出された給水量に基づいて調整することを特徴とする請求項１に記載の吐水システム。
【請求項３】
前記タンクは、収納台に収納された状態で前記給水装置および前記吐水装置と接続されるものであり、
前記タンクは、前記収納台に対して着脱可能に構成されていることを特徴とする請求項１または２に記載の吐水システム。
【発明の詳細な説明】
【技術分野】
【０００１】
本発明は、温水を吐出する吐水システムに関する。
【背景技術】
【０００２】
従来、温水を吐出するものとして、例えば特許文献１，２に示すようなものがある。特許文献１にかかるジャーポットは、貯水用の容器の水位が設定値よりも下であると給水され、貯水用の容器内の水をヒータにより加熱し、保温するものである。また、特許文献２にかかる貯湯式温水器は、給水源から貯湯槽内に供給された水をヒータにより加熱し、略一定温度の温水に保つものである。
【先行技術文献】
【特許文献】
【０００３】
【特許文献１】特開平８−１４０８５４号公報
【特許文献２】特開２００３−１０６６７３号公報
【発明の概要】
【発明が解決しようとする課題】
【０００４】
上記特許文献１，２に示すような従来技術では、ユーザーが使いたいときに直ぐに、温水を提供することを目的として、ヒータなどを用いて溜めた温水の温度が低下しないように保温し、タンク内に温水を常に溜めておくこととなる。従って、タンク内に溜められている温水を保温するために、例えば保温電力などのエネルギーを消費する。保温のためのエネルギーは、実際に温水を生成するためのエネルギーとは、別途に必要である。つまり、タンク内に温水を常に溜めておくことは、温水を生成する場合と比較してエネルギー消費が増加するという問題があった。
【０００５】
本発明は、上記に鑑みてなされたものであって、エネルギー消費を低減できる吐水システムを提供することを目的とする。
【課題を解決するための手段】
【０００６】
上述した課題を解決し、目的を達成するために、本発明は、タンクと、給水源から前記タンク内に給水する給水装置と、前記タンク内の水を加熱するヒータと、前記タンク内の水を吐水口から吐出する吐水装置と、少なくとも前記給水装置、ヒータを制御する制御装置と、を備え、前記制御装置は、ユーザーからの給水指示に基づいた信号により、前記給水装置による給水および前記ヒータによる加熱を行うと共に、前記タンク内に温水が生成された後、前記ヒータによる加熱を終了し、設定時間が経過すると、ユーザーによる温水の使用に拘わらず、タンク内から温水を排水して、ユーザーからの前記給水指示があるまで前記タンク内を空の状態とすることを特徴とする。
【０００７】
本発明によれば、ユーザーからの給水指示に基づいた信号により、給水装置による給水およびヒータによる加熱を行い、タンク内に温水を生成し、吐水装置により温水を吐出するので、予めタンク内に温水を溜めておくことがなく、保温のためのエネルギーを消費しない。従って、保温のためのエネルギーを消費しないので、保温のためにエネルギーを消費してタンク内に温水を常に溜めておく場合と比較して、エネルギー消費を低減できる。
【０００８】
また、上記吐水システムにおいて、前記タンク内への給水量を検出する流量計をさらに備え、前記制御装置は、前記タンク内への給水量をユーザーからの給水量指示に基づいた信号に応じた給水量に、前記検出された給水量に基づいて調整することが好ましい。これによれば、タンク内への給水量をユーザーの給水量指示に基づいて調整することができる。従って、タンク内でユーザーの温水の使用量に応じた温水を生成し、吐水装置により吐出することができる。これにより、ユーザーの使用しない温水がタンク内に残ることを抑制することができ、エネルギー消費をさらに低減できる。
【０００９】
また、上記吐水システムにおいて、前記タンクは、収納台に収納された状態で前記給水装置および前記吐水装置と接続されるものであり、前記タンクは、前記収納台に対して着脱可能に構成されていることが好ましい。これによれば、収納台からタンクを取り外すことで、給水装置および吐水装置からタンクを切り離すことができる。従って、ユーザーがタンクに容易に触れることができる。
【発明の効果】
【００１０】
本発明にかかる吐水システムは、エネルギー消費を低減できるという効果を奏する。
【図面の簡単な説明】
【００１１】
【図１】図１は、本実施形態にかかる吐水システムの概略構成例を示す図である。
【図２】図２は、本実施形態にかかる吐水システムの適用例を示す図である。
【図３】図３は、本実施形態にかかる吐水システムの制御方法のフローチャートを示す図である。
【図４】図４は、本実施形態にかかる吐水システムの他の概略構成例を示す図である。
【発明を実施するための形態】
【００１２】
以下、本発明につき図面を参照しつつ詳細に説明する。なお、下記の実施形態により本発明が限定されるものではない。また、下記の実施形態における構成要素には、当業者が容易に想定できるもの、あるいは実質的に同一のものが含まれる。
【００１３】
本実施形態にかかる吐水システムは、ユーザーからの給水指示に基づいて、給水源からタンク内に水を供給し、タンク内の水をヒータにより加熱し、タンク内の温水を吐水口から吐出するものである。図１は、実施形態にかかる吐水システムの概略構成例を示す図である。図２は、実施の形態にかかる吐水システムの適用例を示す図である。なお、図２においては、吐水システム１を構成する機器の一部のみを図示している。
【００１４】
本実施形態では、図２に示すように、吐水システム１を収納台である洗面化粧台１００に搭載した場合について説明する。吐水システム１は、図１に示すように、止水栓２と、電磁弁３と、流量計４と、タンク５と、ヒータ６と、温度センサ７と、ポンプ８と、吐水口９と、感知センサ１０と、制御装置１１と、表示部１２と、給水スイッチ１３とを含んで構成されている。なお、２０は、表示部１２および給水スイッチ１３が設けられている操作表示パネルである。
【００１５】
止水栓２は、給水源と、電磁弁３との間に設けられる水栓である。ここで、本実施形態では、給水源は、電磁弁３を開弁することのみでタンク５内に水を供給することができるように、予めポンプなどで水に圧力を与えることができるものであり、例えば住宅内に設けられた図示しない給水設備などである。
【００１６】
電磁弁３は、給水源からタンク５内に給水する給水装置である。電磁弁３は、止水栓２を介して給水源と、流量計４を介してタンク５との間に設けられ、制御装置１１に接続されている。電磁弁３は、制御装置１１により開閉が制御されるものである。電磁弁３は、後述する給水指示信号に基づいて制御装置１１により開弁される。
【００１７】
流量計４は、タンク５内への給水量Ｑを検出するものである。流量計４は、電磁弁３と、タンク５との間に設けられ、制御装置１１に接続されている。流量計４は、電磁弁３が開弁することで、タンク５内に供給される水の量、すなわち給水量Ｑを検出し、制御装置１１に出力する。
【００１８】
タンク５は、水を溜めるものである。タンク５は、ポンプ８が停止している状態で、電磁弁３が開弁することで内部に給水され、水が溜まるものである。タンク５には、内部にヒータ６および温度センサ７が設けられている。ここで、タンク５は、本実施形態では、図２に示すように、洗面化粧台１００に対して着脱可能に構成されている。タンク５は、その一面が洗面化粧台１００の表面の一部となるように、洗面化粧台１００に収納され、密閉状態ではなく大気に解放されている。タンク５は、洗面化粧台１００に収納された状態で、流量計４を介して電磁弁３およびポンプ８と接続されるように構成されている。つまり、タンク５が洗面化粧台１００に収納された状態では、タンク５内へ給水することができ、ヒータ６により生成されたタンク５内の温水をポンプ８が駆動することにより吐水口９から吐出することができる。一方、タンク５が洗面化粧台１００から取り外された状態では、タンク５内へ給水することができず、タンク５内で生成された温水をポンプ８が駆動することにより吐水口９から吐出することができないが、電磁弁３およびポンプ８からタンク５を切り離すことができる。従って、ユーザーは、タンク５に容易に触れることができる。これにより、例えば、タンク５内に残った温水を排水することや、タンク５の内部を露出させることができるので、ユーザーがタンク５内を洗浄することができ、衛生面での向上を図ることができる。
【００１９】
なお、タンク５を洗面化粧台１００から取り外すことができる場合は、電磁弁３の開弁時やポンプ８の駆動時に、タンク５を洗面化粧台１００から取り外すことができないように、洗面化粧台１００に対するタンク５の移動を規制するロック機構を備えることが好ましい。ロック機構は、電磁弁３およびポンプ８の動作に連動して作動するように、制御装置１１により制御する。
【００２０】
ヒータ６は、図１に示すように、タンク５内の水を加熱するものである。ヒータ６は、タンク５の内部、例えばタンク５の底部に設けられており、制御装置１１に接続されている。ヒータ６は、タンク５内の水を直接加熱して温水とするものである。つまり、タンク５は、ヒータ６により加熱された水、すなわち温水を溜めるものである。また、ヒータ６は、制御装置１１により動作が制御されるものである。ヒータ６は、後述する給水指示信号に基づいて制御装置１１により作動し、タンク５内の水を加熱する。なお、ヒータ６は、タンク５が洗面化粧台１００に収納された状態で、制御装置１１と接続されるように構成されている。つまり、ヒータ６は、タンク５が洗面化粧台１００に収納された状態で、タンク５内の水を加熱することができる。
【００２１】
温度センサ７は、タンク５内の水の温度Ｔを検出するものであり、制御装置１１に接続されている。温度センサ７は、ヒータ６により加熱されているタンク５内の水の温度Ｔを検出し、制御装置１１に出力する。なお、温度センサ７は、タンク５が洗面化粧台１００に収納された状態で、制御装置１１と接続されるように構成されている。つまり、温度センサ７は、タンク５が洗面化粧台１００に収納された状態で、タンク５内の水の温度を検出することができる。
【００２２】
ポンプ８は、タンク５内の水を吐水口９から吐出する吐水装置である。つまり、ポンプ８は、ヒータ６により加熱されることで生成されたタンク５内の温水を吐水口９から吐出するものである。ポンプ８は、タンク５と、吐水口９との間に設けられ、制御装置１１に接続されている。ポンプ８は、制御装置１１により駆動が制御されるものである。ポンプ８は、本実施形態では、後述する使用要求信号に基づいて制御装置１１により駆動され、あるいは制御装置１１が出力する後述する排水指示信号により駆動される。
【００２３】
吐水口９は、タンク５内の水を吐出するものである。吐水口９は、図２に示すように、洗面化粧台１００の洗面器１０１に対向して配置されている。吐水口９より吐出された水は、洗面器１０１を介して排水される。また、吐水口９には、本実施形態では、図１に示すように、ユーザーを感知する感知センサ１０が設けられている。
【００２４】
感知センサ１０は、ユーザーによるタンク５内の温水の使用要求を判断するものであり、制御装置１１に接続されている。感知センサ１０は、制御装置１１により駆動され、洗面化粧台１００で温水を使用するユーザーを感知、例えば吐水口９に対向する領域内に人体の一部が侵入すると、ユーザーの使用要求に基づいた信号である使用要求信号を制御装置１１に出力する。
【００２５】
制御装置１１は、電磁弁３による給水、ヒータ６による加熱、ポンプ８による吐水を制御するものである。制御装置１１は、後述する給水指示信号、流量計４により検出された給水量Ｑ、温度センサ７により検出された温度Ｔ、使用要求信号などが入力値として入力され、入力値に基づいて電磁弁３の開閉制御、ヒータ６の動作制御、ポンプ８の駆動制御が行われ、後述する準備完了信号を表示部１２に出力する。また、制御装置１１は、タンク５内に温水が生成され、ユーザーにより使用の準備が完了となってから、設定時間Ｘ１が経過すると、ポンプ８を駆動してタンク５内から水を排水するために排水指示信号をポンプ８に出力する。ここで、設定時間Ｘ１は、予め設定されている制御変数であり、洗面化粧台１００でユーザーが温水を使用しないと判断できる程度の時間であり、数分から十数分程度である。なお、制御装置１１は、電源装置としても機能し、上述の電磁弁３の開閉動作を行う図示しないアクチュエータ、ヒータ６、ポンプ８を駆動する図示しないモータなどの電力を必要とする機器に電力を供給する。
【００２６】
表示部１２は、タンク５内に温水が生成され、ユーザーによる使用の準備が完了したことを表示するものであり、制御装置１１と接続されている。表示部１２は、実施の形態では、洗面化粧台１００の表面の一部として形成された操作表示パネル２０に設けられており、例えばＬＥＤなどの光源により構成され、制御装置１１から出力される準備完了信号により光源が点灯（点滅も含む）する。ここで、制御装置１１は、本実施形態では、温度センサ７により検出されたタンク５内の水の温度Ｔが設定温度Ｔ１以上となった場合、すなわち温水が生成された場合に、準備完了信号を表示部１２に出力する。ここで、設定温度Ｔ１は、予め設定されている制御変数であり、ユーザーが直接触れても影響がない温度をいい、例えば４０℃程度の水をいう。つまり、温水とは、ユーザーが直接触れても影響がない温度をいう。
【００２７】
給水スイッチ１３は、ユーザーからの給水指示を判断するものであり、制御装置１１に接続されている。給水スイッチ１３は、洗面化粧台１００の表面の一部として形成された操作表示パネル２０に設けられており、例えばユーザーが押圧することでＯＮとなり、ユーザーからの給水指示に基づいた信号である給水指示信号を制御装置１１に出力する。
【００２８】
次に、本実施形態にかかる吐水システムの制御方法、すなわち動作について説明する。図３に示すように、制御装置１１は、まず、給水スイッチ１３がＯＮされたか否かを判断する（ステップＳＴ１）。ここでは、制御装置１１は、給水スイッチ１３がユーザーによりＯＮされ、給水指示信号を取得したか否かを判断することで、ユーザーからの給水指示があったか否かを判断する。
【００２９】
次に、制御装置１１は、給水スイッチ１３がＯＮであると判断（ステップＳＴ１肯定）すると、電磁弁３を開弁するとともに、ヒータ６を作動させる（ステップＳＴ２）。ここでは、制御装置１１は、ユーザーからの給水指示があった場合、電磁弁３を開弁してタンク５内へ給水を開始するとともに、タンク５内の水に対するヒータ６による加熱を開始する。つまり、制御装置１１は、ユーザーからの給水指示があった場合、タンク５内への給水およびタンク５内の水の加熱を同時に行う。なお、給水スイッチ１３がＯＮでないと判断（ステップＳＴ１否定）すると、給水スイッチ１３がＯＮされるまで、ステップＳＴ１を繰り返す。
【００３０】
次に、制御装置１１は、タンク５への給水量Ｑが設定給水量Ｑ１であるか否かを判断する（ステップＳＴ３）。ここでは、制御装置１１は、流量計４により検出された給水量Ｑが設定給水量Ｑ１以上となったか否かを判断する。ここで、設定給水量Ｑ１は、予め設定されている制御変数であり、少なくともタンク５の容量以下の値である。
【００３１】
次に、制御装置１１は、タンク５への給水量Ｑが設定給水量Ｑ１であると判断（ステップＳＴ３肯定）すると、電磁弁３を閉弁する（ステップＳＴ４）。なお、タンク５への給水量Ｑが設定給水量Ｑ１でないと判断（ステップＳＴ３否定）すると、タンク５への給水量Ｑが設定給水量Ｑ１となるまで、電磁弁３の開弁を維持する。
【００３２】
次に、制御装置１１は、タンク５内の水の温度Ｔが設定温度Ｔ１であるか否かを判断する（ステップＳＴ５）。ここでは、制御装置１１は、温度センサ７により検出されたタンク５内の水の温度Ｔが設定温度Ｔ１以上となったか否かを判断することで、タンク５内に温水が生成されたか否かを判断する。
【００３３】
次に、制御装置１１は、タンク５内の水の温度Ｔが設定温度Ｔ１であると判断（ステップＳＴ５肯定）すると、ヒータ６を停止する（ステップＳＴ６）。ここで、制御装置１１は、タンク５内の水の温度Ｔが設定温度Ｔ１であると判断（ステップＳＴ５肯定）すると、経過時間Ｘの計測を開始する。なお、タンク５内の水の温度Ｔが設定温度Ｔ１でないと判断（ステップＳＴ５否定）すると、タンク５内の水の温度Ｔが設定温度Ｔ１となるまで、ヒータ６の作動を維持する。
【００３４】
次に、制御装置１１は、準備が完了したことを表示部１２により表示する（ステップＳＴ７）。ここでは、制御装置１１は、タンク５内に温水が生成された場合に、準備完了信号を表示部１２に出力し、表示部１２が例えば点灯する。これにより、ユーザーは、タンク５内に温水が生成され、ユーザーによる使用の準備が完了したことを認識することができる。なお、タンク５内に温水が生成された場合には、表示部１２による表示とともに、スピーカーから音声（ブザー音を含む）を出力しても良い。
【００３５】
次に、制御装置１１は、感知センサ１０を駆動する（ステップＳＴ８）。ここでは、制御装置１１は、ユーザーからの給水指示があった後、タンク５内に温水が生成されてから感知センサ１０を駆動する。従って、ヒータ６により加熱中のタンク５内の水がポンプ８により吐水口９から吐出されることを防止することができる。また、感知センサ１０の駆動は、ユーザーからの給水指示があった後、タンク５内に温水が生成されてからであるので、感知センサ１０において使用する電力を低減でき、エネルギー消費を低減することができる。
【００３６】
次に、制御装置１１は、感知センサ１０によりユーザーを感知したか否かを判断する（ステップＳＴ９）。ここでは、制御装置１１は、駆動している感知センサ１０がユーザーを感知し、使用要求信号を取得したか否かを判断することで、ユーザーによるタンク５内の温水の使用要求があるか否かを判断する。
【００３７】
次に、制御装置１１は、感知センサ１０によりユーザーを感知したと判断（ステップＳＴ９肯定）すると、ポンプ８を駆動する（ステップＳＴ１０）。ここでは、制御装置１１は、ユーザーによるタンク５内の温水の使用要求がある場合、ポンプ８を駆動して、タンク５内の温水を吐水口９から吐出する。これにより、ユーザーは、タンク５内に生成された温水を使用することができる。
【００３８】
次に、制御装置１１は、設定時間Ｘ１を経過しているか否かを判断する（ステップＳＴ１１）。ここでは、制御装置１１は、上記計測している経過時間Ｘが設定時間Ｘ１以上となるか否かを判断することで、洗面化粧台１００でユーザーが温水を使用しないと判断でき、タンク５内の温水を排水しても良いか否かを判断する。なお、制御装置１１は、感知センサ１０によりユーザーを感知していないと判断（ステップＳＴ９否定）しても、設定時間Ｘ１を経過しているか否かを判断する。つまり、制御装置１１は、ユーザーによりタンク５内に生成された温水が使用されたか否かに拘わらず、タンク５内の温水を排水しても良いか否かを判断する。
【００３９】
次に、制御装置１１は、設定時間Ｘ１を経過していると判断（ステップＳＴ１１肯定）すると、ポンプ８を駆動する（ステップＳＴ１２）。ここでは、制御装置１１は、洗面化粧台１００でユーザーが温水を使用しないと判断でき、タンク５内の温水を排水しても良い場合、ポンプ８を駆動して、タンク５内の温水を吐水口９から吐出し、吐水口９より吐出された水が洗面器１０１を介して排水される。ここで、タンク５内に水が長時間残ると、タンク５内に雑菌が繁殖する虞がある。しかしながら、本実施形態では、タンク５内の温水を排水するので、タンク５内に水が長時間残ることがなく、タンク５内を常に良好な衛生状態に保つことができる。なお、このとき、感知センサ１０の駆動を停止する。また、設定時間Ｘ１を経過していないと判断（ステップＳＴ１１否定）すると、設定時間Ｘ１を経過するまで、感知センサ１０の駆動および経過時間Ｘの計測を維持する。
【００４０】
以上のように、本実施形態にかかる吐水システムでは、ユーザーからの給水指示があった場合に、タンク５内への給水およびタンク５内の水の加熱を行い、タンク５内に温水を生成し、ポンプ８により吐水口９から温水を吐出するので、予めタンク５内に温水を溜めておくことがない。従って、保温のための電力が必要ないので、保温のためのエネルギーを消費しない。つまり、保温のためにエネルギーを消費してタンク５内に温水を常に溜めておく場合と比較して、エネルギー消費を低減でき、必要最小限のエネルギーで、ユーザーに温水を提供することができる。これにより、吐水システムにおけるＣＯ２排出量を大きく削減することができる。
【００４１】
なお、上記実施形態では、設定給水量Ｑ１は、ユーザーにより変更可能であっても良い。例えば、設定給水量Ｑ１を複数の値に変更することができるスイッチあるいは回転つまみを操作表示パネル２０に設け、制御装置１１がこれらから出力されるユーザーからの給水量指示に基づいた信号に基づいて設定給水量Ｑ１に対応する制御変数を変更しても良い。この場合、制御装置１１は、タンク５内への給水量をユーザーからの給水量指示に基づいた信号に応じた給水量である設定給水量Ｑ１に、流量計４により検出された給水量Ｑに基づいて調整することとなる。従って、タンク５内への給水量をユーザーの給水量指示に基づいて調整することができるので、タンク５内でユーザーの温水の使用量に応じた温水を生成し、ポンプ８により吐出することができる。これにより、ユーザーの使用しない温水がタンク５内に残ることを抑制することができ、エネルギー消費をさらに低減できる。
【００４２】
また、上記実施形態では、タンク５により生成された温水のみをポンプ８を介して吐水口９より吐出するがこれに限定されるものではない。図４は、実本施形態にかかる吐水システムの他の概略構成例を示す図である。同図に示すように、給湯源からの温水を給湯装置１４により吐水口９から吐出するようにしても良い。ここで、給湯源は、例えば上記給水源から給水された水をヒータにより加熱し保温する貯湯タンクなどの常に温水を供給できるものである。給湯装置１４は、給湯源と、吐水口９との間に設けられ、例えば制御装置１１により制御されるポンプである。つまり、吐水口９は、タンク５内の温水をポンプ８により吐出することができるとともに、給湯源の温水を給湯装置１４により吐出することもできる。例えば、ユーザーが直ぐに温水を使いたい場合は、吐水口９を介して給湯装置１４から温水を吐出させる。また、ユーザーがタンク５内に温水が生成されるのを待てる場合は、吐水口９を介してポンプ８から温水を吐出させる。従って、ユーザーにおける温水の使用用途に応じてタンク５内の温水と給湯源の温水を使い分けることができる。なお、給湯装置１４を備える吐水システム１では、吐水口９に対するポンプ８と給湯装置１４との接続をユーザーの操作あるいは指示により切り替える切り替え弁を備えることが好ましい。
【００４３】
また、上記実施形態では、設定給水量Ｑ１と同様に、設定温度Ｔ１、設定時間Ｘ１は、ユーザーにより変更可能であっても良い。例えば、設定温度Ｔ１、設定時間Ｘ１を複数の値に変更することができるスイッチあるいは回転つまみを操作表示パネル２０に設け、制御装置１１がこれらから出力される信号に基づいて設定温度Ｔ１、設定時間Ｘ１に対応する制御変数を変更しても良い。
【００４４】
また、上記実施形態では、吐水口９は感知センサ１０が設けられておらず、ユーザーの操作により、ユーザーによるタンク５内の温水の使用要求が判断できる操作部が設けられていても良い。
【００４５】
また、上記実施形態では、設定時間Ｘ１を経過すると、タンク５内の温水を排水するようにしたが、本発明はこれに限定されるものではなく、再度ユーザーからの給水指示があった場合に、タンク５内への給水およびタンク５内の水の加熱を行う前に排水するようにしても良い。また、洗面化粧台１００の前にユーザーが立っていることを感知するセンサを備え、センサの出力に基づいて洗面化粧台１００の前からユーザーがいなくなったと判断できた場合に、タンク５内の温水を排水しても良い。また、上記実施形態では、タンク５内の温水を吐水口９から排水するが本発明はこれに限定されるものではなく、タンク５内の温水を排水する排水経路をタンク５から吐水口９までの経路と別に設けても良い。
【００４６】
また、上記実施形態では、設定給水量Ｑ１が一定であれば流量計４を設けなくても良い。例えば、給水源からタンク５内に供給される水の流量が一定である場合は、制御装置１１は、電磁弁３の開弁からの経過時間に基づいて給水量Ｑを算出することができる。また、タンク５の最大容量を設定給水量とする場合は、タンク５の最大容量に対応する位置に水位を検出するセンサを設け、制御装置１１は、センサにより水が検出されたことで、タンク５内への給水量Ｑが設定給水量Ｑ１となったと判断しても良い。
【００４７】
また、上記実施形態では、吐水システム１が洗面化粧台１００に搭載された場合について説明したがこれに限定されるものではない。例えば、ノズルより温水を吐出し、人体の局部を洗浄する温水洗浄器に本実施形態に係る吐水システムを搭載しても良い。この場合、タンク５内の温水を排水する際に、排水する温水を温水洗浄器のノズル洗浄に用いても良い。
【産業上の利用可能性】
【００４８】
以上のように、本発明にかかる吐水システムは、温水を吐出する吐水システムに有用であり、特に、エネルギー消費を低減するのに適している。
【符号の説明】
【００４９】
１  吐水システム
２  止水栓
３  電磁弁（給水装置）
４  流量計
５  タンク
６  ヒータ
７  温度センサ
８  ポンプ（吐水装置）
９  吐水口
１０  感知センサ
１１  制御装置
１２  表示部
１３  給水スイッチ
２０  操作表示パネル
【図１】
0005576626.tif 000002
【図２】
0005576626.tif 000003
【図３】
0005576626.tif 000004
【図４】
0005576626.tif 000005